(57)【要約】      （修正有）【課題】電熱線の不可視性を向上させるとともに、窓ガラスの曇りや窓ガラスに付着した雪や氷を斑無く除去できる発熱板を提供する。【解決手段】本発明の発熱板１０は、ガラス板１１、１２と、ガラス板１１、１２との間に配置される導電性パターン４０と、ガラス板１１、１２とを接合する接合層１３、１４と、を備え、導電性パターン４０は、ガラス板１２上に配置され、接合層１３、１４は、接着性または粘着性を有する材料と、材料に分散させた赤外線吸収剤とを含む。【選択図】図３
2019192645.tif 000002
【特許請求の範囲】
【請求項１】
電圧が印加されると発熱する発熱板であって、
第１のガラス板と、
第２のガラス板と、
前記第１のガラス板と前記第２のガラス板との間に配置される導電性パターンと、
前記第１のガラス板と前記第２のガラス板とを接合する接合層と、
を備え、
前記導電性パターンは、前記第２のガラス板上に配置され、
前記接合層は、接着性または粘着性を有する材料と、前記材料に分散させた赤外線吸収剤とを含む、発熱板。
【請求項２】
電圧が印加されると発熱する発熱板であって、
第１のガラス板と、
第２のガラス板と、
前記第１のガラス板と前記第２のガラス板との間に配置される導電性パターンと、
前記第１のガラス板と前記第２のガラス板とを接合する接合層とを備え、
前記接合層は、前記第１のガラス板側に配置される第１の接合層と、前記第２のガラス板側に配置される第２の接合層とからなり、
前記導電性パターンは、前記第２の接合層上に配置され、
前記１接合層および第２の接合層は、接着性または粘着性を有する材料と、前記材料に分散させた赤外線吸収剤とを含む、発熱板。
【請求項３】
前記接着性または粘着性を有する材料がポリビニルブチラールを含む、請求項１または２に記載の発熱体。
【請求項４】
前記赤外線吸収剤が、セシウム−タングステン複合酸化物を含む、請求項１〜３のいずれか一項に記載の発熱体。
【請求項５】
前記セシウム−タングステン複合酸化物の平均分散粒径が８００ｎｍ以下である、請求項４に記載の導電体付シート。
【請求項６】
請求項１〜５のいずれか一項に記載された発熱板を備えた乗り物。
【発明の詳細な説明】
【技術分野】
【０００１】
本発明は、発熱板に用いられる導電体付シート、および導電体付シートを備えた発熱板ならびに発熱板を備えた乗り物に関する。
【背景技術】
【０００２】
従来、車両のフロントウィンドウやリアウィンドウ等の窓ガラスに用いるデフロスタ装置として、窓ガラス全体にタングステン線からなる電熱線を配置したものが知られている（例えば、特許文献１、特許文献２を参照）。この従来技術では、窓ガラス全体に配置された電熱線に通電し、その抵抗加熱（ジュール熱、Ｊｏｕｌｅ  ｈｅａｔ）により窓ガラスを昇温させて、窓ガラスの曇りを取り除いて、または、窓ガラスに付着した雪や氷を溶かしたり、水滴を蒸発させて、乗員の視界を確保することができる。
【先行技術文献】
【特許文献】
【０００３】
【特許文献１】特開２０１３−１７３４０２号公報
【特許文献２】特開平８−７２６７４号公報
【発明の概要】
【発明が解決しようとする課題】
【０００４】
上述のように、従来技術のデフロスタ装置では、電熱線としてタングステン線を用いている。そしてこの場合、タングステンの高い電気抵抗率に起因して電熱線の電気抵抗が高くなりすぎることを防止するために、電熱線の断面積を大きくしている。そのため、タングステン線を用いた電熱線は、観察者に視認されやすい。電熱線がドライバー等の観察者に視認されることは、観察者による窓ガラスを介した視認性を悪化させる。
【０００５】
上記の課題に対して、出願人は先の出願において、タングステンよりも電気抵抗の低い金属からなる導電性細線を用いることにより、デフロスタ装置の電熱線の不可視性を向上できることを提案した。そして、今般、デフロスタ装置の電熱線として、上記のような電気抵抗の低い金属からなる導電性細線を用いた場合に、電熱線とは別に赤外線吸収剤をデフロスタ装置に含めることにより、デフロスタの性能が向上するとともに、窓ガラスの曇りや窓ガラスに付着した雪や氷を斑無く除去できるとの知見を得た。本発明は係る知見に基づくものであり、したがって、本発明の目的は、電熱線の不可視性を向上させるとともに、窓ガラスの曇りや窓ガラスに付着した雪や氷を斑無く除去できる発熱板を提供することである。
【課題を解決するための手段】
【０００６】
本発明の一実施形態による発熱板は、電圧が印加されると発熱する発熱板であって、
第１のガラス板と、
第２のガラス板と、
前記第１のガラス板と前記第２のガラス板との間に配置される導電性パターンと、
前記第１のガラス板と前記第２のガラス板とを接合する接合層と、
を備え、
前記導電性パターンは、前記第２のガラス板上に配置され、
前記接合層は、接着性または粘着性を有する材料と、前記材料に分散させた赤外線吸収剤とを含むものである。
【０００７】
また、本発明の別の実施形態による発熱板は、電圧が印加されると発熱する発熱板であって、
第１のガラス板と、
第２のガラス板と、
前記第１のガラス板と前記第２のガラス板との間に配置される導電性パターンと、
前記第１のガラス板と前記第２のガラス板とを接合する接合層とを備え、
前記接合層は、前記第１のガラス板側に配置される第１の接合層と、前記第２のガラス板側に配置される第２の接合層とからなり、
前記導電性パターンは、前記第２の接合層上に配置され、
前記１接合層および第２の接合層は、接着性または粘着性を有する材料と、前記材料に分散させた赤外線吸収剤とを含むものである。
【０００８】
本発明による発熱体において、前記接着性または粘着性を有する材料はポリビニルブチラールを含んでいてもよい。
【０００９】
本発明による発熱体において、前記赤外線吸収剤は、セシウム−タングステン複合酸化物を含んでいてもよい。
【００１０】
本発明による発熱体において、前記セシウム−タングステン複合酸化物の平均分散粒径は８００ｎｍ以下であってもよい。
【００１１】
また、本発明の別の実施形態によれば、上記発熱板を備えた乗り物も提供される。
【発明の効果】
【００１２】
本発明の発熱体によれば、自動車等のデフロスタ装置として使用される発熱板において、電熱線の不可視性を向上させるとともに、窓ガラスの曇りや窓ガラスに付着した雪や氷を斑無く除去することができる。
【図面の簡単な説明】
【００１３】
【図１】図１は、本発明による一実施の形態を説明するための図であって、発熱板を備えた乗り物を概略的に示す斜視図である。特に図１では、乗り物の例として発熱板を備えた自動車を概略的に示している。
【図２】図２は、発熱板をその板面の法線方向から見た図である。
【図３】図３は、図２の発熱板の横断面図である。
【図４】図４は、導電体付シートの一例を示す横断面図である。
【図５】図５は、導電体付シートの他の例を示す横断面図である。
【図６】図６は、導電体付シートの他の例を示す横断面図である。
【図７】図７は、発熱板の導電性パターンのパターン形状の一例を示す平面図である。
【図８】図８は、発熱板の導電性パターンのパターン形状の他の例を示す平面図である。
【図９】図９は、図８の導電性パターンの一部を拡大して示す図である。
【図１０】図１０は、発熱板の製造方法の変形例を説明するための図である。
【図１１】図１１は、発熱板の製造方法の変形例を説明するための図である。
【図１２】図１２は、発熱板の製造方法の変形例を説明するための図である。
【図１３】図１３は、発熱板の製造方法の他の変形例を説明するための図である。
【発明を実施するための形態】
【００１４】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１５】
なお、本明細書において、「板」、「シート」、「フィルム」の用語は、呼称の違いのみに基づいて、互いから区別されるものではない。例えば、「導電体付シート」は板やフィルムと呼ばれ得るような部材をも含む概念であり、したがって、「導電体付シート」は、「導電性パターン板（基板）」や「導電性パターンフィルム」と呼ばれる部材と、呼称の違いのみにおいて区別され得ない。
【００１６】
また、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。
【００１７】
本明細書において、「接合」とは、完全に接合を完了する「本接合」だけでなく、「本接合」の前に仮止めするための、いわゆる「仮接合」をも含むものとする。
【００１８】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１９】
図１〜図１３は、本発明による一実施の形態を説明するための図である。先ず、導電体付シートを備えた発熱板について説明する。図１は、発熱板を備えた自動車を概略的に示す図であり、図２は、発熱板をその板面の法線方向から見た図であり、図３は、図２の発熱板の横断面図である。
【００２０】
図１に示されているように、乗り物の一例としての自動車１は、フロントウィンドウ、リアウィンドウ、サイドウィンドウ等の窓ガラスを有している。ここでは、フロントウィンドウ５が発熱板１０で構成されているものを例示する。また、自動車１はバッテリー等の電源７を有している。
【００２１】
この発熱板１０をその板面の法線方向から見たものを図２に示す。また、図２の発熱板１０のＩＩＩ−ＩＩＩ線に対応する横断面図を図３に示す。図３に示された例では、発熱板１０は、一対のガラス板１１，１２と、一対のガラス板１１，１２の間に配置された導電体付シート２０と、ガラス板１１，１２と導電体付シート２０とを接合する接合層１３，１４とを有している。なお、図１および図２に示した例では、発熱板１０は湾曲しているが、図３および図１０〜図１３では、図示の簡略化および理解の容易化のために、発熱板１０およびガラス板１１，１２を平板状に図示している。
【００２２】
導電体付シート２０は、シート状の透明基材３０と、透明基材３０上に形成された導電性パターン４０と、導電性パターン４０に通電するための銅線等からなる配線部１５と、導電性パターン４０と配線部１５とを接続する接続部１６（バスバーまたはバスバー電極とも呼ばれる）と、を有している。透明基材３０上に直接導電性パターン４０を設けてもよいが、両者の密着性を向上させるために保持層３１を介して、透明基材３０上に導電性パターン４０を設けてもよい。配線部１５は、バッテリー等の電源７に導電性パターン４０を電気的に接続する配線として機能する。図２および図３に示した例では、配線部１５を介して導電性パターン４０に通電し、導電性パターン４０を抵抗加熱により発熱させる。導電性パターン４０で発生した熱は接合層１３，１４を介してガラス板１１，１２に伝わり、ガラス板１１，１２が温められる。これにより、ガラス板１１，１２に付着した結露による曇りを取り除くことができる。また、ガラス板１１，１２に雪や氷が付着している場合には、この雪や氷を溶かすことができる。したがって、乗員の視界が良好に確保される。
【００２３】
図２および図３に示した例では、バッテリー等の電源７から、配線部１５および接続部１６を介して導電性パターン４０に通電し、導電性パターン４０を抵抗加熱により発熱させる。導電性パターン４０で発生した熱は接合層１３，１４を介してガラス板１１，１２に伝わり、ガラス板１１，１２が温められる。これにより、ガラス板１１，１２に付着した結露による曇りを取り除くことができる。また、ガラス板１１，１２に雪や氷が付着している場合には、この雪や氷を溶かすことができる。したがって、乗員の視界が良好に確保される。
【００２４】
ガラス板１１，１２は、特に自動車のフロントウィンドウに用いる場合、乗員の視界を妨げないよう可視光透過率が高いものを用いることが好ましい。このようなガラス板１１，１２の材質としては、ソーダライムガラス（青板ガラス）、硼珪酸ガラス（白板ガラス）、石英ガラス、ソーダガラス、カリガラス等が例示できる。ガラス板１１，１２は、可視光領域における透過率が９０％以上であることが好ましい。ここで、ガラス板１１，１２の可視光透過率は、分光光度計（（株）島津製作所製「ＵＶ−３１００ＰＣ」、ＪＩＳ
Ｋ  ０１１５準拠品）を用いて測定波長３８０ｎｍ〜７８０ｎｍの範囲内で測定したときの、各波長における透過率の平均値として特定される。なお、ガラス板１１，１２の一部または全体に着色するなどして、可視光透過率を低くしてもよい。この場合、太陽光の直射を遮ったり、車外から車内を視認しにくくしたりすることができる。
【００２５】
また、ガラス板１１，１２は、１ｍｍ以上５ｍｍ以下の厚みを有していることが好ましい。このような厚みであると、強度および光学特性に優れたガラス板１１，１２を得ることができる。
【００２６】
ガラス板１１，１２と導電体付シート２０とは、それぞれ接合層１３，１４を介して接合されている。このような接合層１３，１４としては、種々の接着性または粘着性を有した材料からなる層を用いることができる。また、接合層１３，１４は、可視光透過率が高いものを用いることが好ましい。典型的な接合層としては、ポリビニルブチラール（ＰＶＢ）からなる層を例示することができる。接合層１３，１４の厚みは、それぞれ０．１５ｍｍ以上０．７ｍｍ以下であることが好ましい。
【００２７】
なお、発熱板１０には、図示された例に限られず、特定の機能を発揮することを期待されたその他の機能層が設けられても良い。また、１つの機能層が２以上の機能を発揮するようにしてもよいし、例えば、発熱板１０のガラス板１１，１２、接合層１３，１４や、後述する導電体付シート２０の透明基材３０の少なくとも１つに機能を付与するようにしてもよい。発熱板１０に付与され得る機能としては、一例として、反射防止（ＡＲ）機能、耐擦傷性を有したハードコート（ＨＣ）機能、赤外線遮蔽（反射）機能、紫外線遮蔽（反射）機能、偏光機能、防汚機能等を例示することができる。
【００２８】
次に、導電体付シート２０について説明する。導電体付シート２０は、図４に示すように、シート状の透明基材３０と、透明基材３０上に積層された保持層３１と、保持層３１上に形成された導電性パターン４０と、導電性パターン４０に通電するための配線部１５と、導電性パターン４０と配線部１５とを接続する接続部１６とを有している。図４に示したような実施の形態においては、赤外線吸収剤が、透明基材３０中に含有されているか、または保持層３１中に含有されていてもよく、あるいは透明基材３０および保持層３１の両方に赤外線吸収剤３２が含有されていてもよい。赤外線吸収剤３２については後記する。
【００２９】
導電体付シート２０は、ガラス板１１，１２と略同一の平面寸法を有して、発熱板１０の全体にわたって配置されてもよいし、運転席の正面部分等、発熱板１０の一部にのみ配置されてもよい。
【００３０】
シート状の透明基材３０は、保持層３１および導電性パターン４０を支持する基材として機能する。透明基材３０は、可視光線波長帯域の波長（３８０ｎｍ〜７８０ｎｍ）を透過する一般に言うところの透明である電気絶縁性の基板である。図２、図７および図８に示された例では、透明基材３０は、ガラス板１１，１２と略同一の寸法を有して、略台形状の平面形状を有している。
【００３１】
透明基材３０に含まれる樹脂としては、可視光を透過し、保持層３１および導電性パターン４０を適切に支持し得るものであればいかなる樹脂でもよいが、好ましくは熱可塑性樹脂を用いることができる。この熱可塑性樹脂としては、例えば、ポリメチルメタクリレート等のアクリル樹脂、ポリ塩化ビニル、ポリエチレンテレフタレート、アモルファスポリエチレンテレフタレート（Ａ−ＰＥＴ）、ポリエチレンナフタレート（ＰＥＮ）等のポリエステル樹脂、ポリエチレン、ポリプロピレン、ポリメチルペンテン、環状ポリオレフィン等のポリオレフィン樹脂、トリアセチルセルロース（三酢酸セルロース）等のセルロース系樹脂、ポリスチレン、ポリカーボネート樹脂、ＡＳ樹脂等を挙げることができる。
とりわけ、アクリル樹脂やポリ塩化ビニルは、エッチング耐性、耐候性、耐光性に優れており、好ましい。透明基材３０に赤外線吸収剤させるには、上記したような樹脂を成膜して透明基材を製造する際に、樹脂中に赤外線吸収剤３２を分散させて押出溶融製膜機等により混練することにより、透明基材３０中に赤外線吸収剤３２を均一に分散させることができる。透明基材３０中に赤外線吸収剤３２を含有させる場合、透明基材の質量に対して１〜２５質量％となるように赤外線吸収剤を含有させることが好ましい。この範囲であれば、デフロスタ機能の向上と可視光透過性とを両立させることができる。
【００３２】
また、透明基材３０は、導電性パターン４０の保持性や、光透過性等を考慮すると、０．０３ｍｍ以上０．３ｍｍ以下の厚みを有していることが好ましい。
【００３３】
保持層３１は、透明基材３０と導電性パターン４０との接合性を向上し、導電性パターン４０を保持する機能を有する。保持層３１は、例えば、透明な電気絶縁性の樹脂シートを透明基材３０上に積層して形成することもできるし、透明基材３０上に樹脂材料を塗布することにより形成することもできる。このような保持層３１としては、例えば、ポリビニルブチラール（ＰＶＢ）、２液硬化性ウレタン接着剤、２液硬化性エポキシ接着剤等を用いることができる。また、後述のように、導電体付シート２０を接合層１３を介してガラス板１１に接合（仮接合）した後に透明基材３０を剥離する場合、保持層３１に剥離層を含ませるようにしてもよい。また、保持層３１にも赤外線吸収剤を含有させてもよい。
【００３４】
保持層３１の厚さは、光透過性や、透明基材３０と導電性パターン４０との接合性等を考慮して、１μｍ以上１００μｍ以下とすることができる。好ましくは、保持層３１の厚さを１μｍ以上１５μｍ以下とすることができる。
【００３５】
上記の通り、本発明においては、赤外線吸収剤３２が、透明基材３０、保持層３１、または赤外線吸収剤３２を含有する層３３のいずれか、あるいはこれらの層の２層以上に含まれている。このように、赤外線吸収剤３２が導電体付シート２０を構成する層に含有されていることにより、発熱板のデフロスタとしての機能をより向上させることができる。
この理由は定かではないが、発熱板を透過する熱線の一部を赤外線吸収剤３２が吸収し、赤外線吸収剤３２を含有する層（例えば透明基材３０等）全体の温度が均一に上昇することにより、導電性パターンから発せられる熱と相まって、発熱板のデフロスタとしての機能が向上するものと考えられる。また、赤外線吸収剤３２が導電体付シート２０のいずれかの層に含有されることにより、自動車等のフロントガラスに適用すれば、夏期等の車中の温度上昇を抑えることもできる。
【００３６】
赤外線吸収剤は、赤外線波長帯域の電磁波を吸収し得る材料であれば、従来公知のものを使用することができるが、本発明においては特に波長７８０〜３０００ｎｍの範囲の電磁波（近赤外線）を吸収し得る材料を用いることが好ましい。このような材料としては、有機系赤外線吸収剤および無機系赤外線吸収剤のいずれか、または両方を併用して使用することができる。これらのなかでも、無機系赤外線吸収剤として知られる、複合タングステン酸化物微粒子を使用することが好ましい。複合タングステン酸化物微粒子は、一般式：ＭｘＷｙＯｚ（式中、Ｍ元素は、Ｈ、Ｈｅ、アルカリ金属、アルカリ土類金属、希土類元素、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉのうちから選択される１種類以上の元素、Ｗはタングステン、Ｏは酸素、０．００１≦ｘ／ｙ≦１．１、２．２≦ｚ／ｙ≦３．０）で表されるものである。このような複合タングステン酸化物は、波長８００〜１１００ｎｍの範囲の電磁波（近赤外線）を吸収し得る材料であり、赤外線吸収剤として機能する。
【００３７】
上記した一般式ＭｘＷｙＯｚで表記される複合タングステン酸化物微粒子は、六方晶、正方晶、立方晶の結晶構造を有する場合に耐久性に優れることから、当該六方晶、正方晶、立方晶から選ばれる1つ以上の結晶構造を含むことが好ましい。例えば、六方晶の結晶構造を持つ複合タングステン酸化物微粒子の場合であれば、好ましいＭ元素として、Ｃｓ、Ｒｂ、Ｋ、Ｔｌ、Ｉｎ、Ｂａ、Ｌｉ、Ｃａ、Ｓｒ、Ｆｅ、Ｓｎの各元素から選択される１種類以上の元素を含む複合タングステン酸化物微粒子が挙げられる。これらの中でも、Ｍ元素としては、耐久性の点から、Ｃｓ（セシウム）であることが好ましい。
【００３８】
上記一般式において、添加されるＭ元素の添加量ｘは、０．００１以上１．０以下が好ましく、更に好ましくは０．３３付近が好ましい。これは六方晶の結晶構造から理論的に算出されるｘの値が０．３３であり、この前後の添加量で好ましい赤外線吸収特性が得られる。一方、酸素の存在量ｚは、２．２以上３．０以下が好ましい。例えば、Ｃｓ０．３３ＷＯ３、Ｒｂ０．３３ＷＯ３、Ｋ０．３３ＷＯ３、Ｂａ０．３３ＷＯ３などを挙げることができる。これら複合タングステン酸化物微粒子は、各々単独で使用してもよいが、混合して使用してもよい。
【００３９】
また、上記複合タングステン酸化物微粒子の表面を、Ｓｉ、Ｔｉ、Ｚｒ、Ａｌのいずれか１種類以上の元素を含有する酸化物で被覆することが、耐候性をより向上させることができる点から好ましい。
【００４０】
複合タングステン酸化物微粒子の平均分散粒径は、導電体付シートを透明に維持する観点から、８００ｎｍ以下であることが好ましく、更に好ましくは２００ｎｍ以下、特に好ましくは１００ｎｍ以下である。また、製造上の難度、含有せしめる材料中への均一分散性等を考慮すると、平均分散粒径は３０ｎｍ以上とすることが好ましい。なお、ここでの平均分散粒径とは、体積平均粒径をいい、粒度分布・粒径分布測定装置（例えば、日機装（株）製、ナノトラック粒度分布測定装置）を用いて測定することができる。
【００４１】
また、透明基材３０、保持層３１および導電性パターン４０以外の層として、赤外線吸収剤を含有する層３３を別途設けてもよい。赤外線吸収剤を含有する層３３は、例えば、透明基材３０と導電性パターン４０との間に設けてもよく、また、透明基材３０の導電性パターン４０が設けられた側とは反対側に設けることもできる。また、図５に示すように、透明基材３０と導電性パターン４０との間に赤外線吸収剤３２を含有する層３３を設けてもよく、あるいは、図６に示すように透明基材３０の導電性パターン４０が設けられた側とは反対側の両方に赤外線吸収剤３２を含有する層３３を設けてもよい。
【００４２】
赤外線吸収剤３２を含有する層３３は、上記した赤外線吸収剤を適当な樹脂に分散させることにより形成することができる。樹脂をしては、透明性が高いものであれば特に制限なく使用でき、例えばポリエステル樹脂、ポリウレタン樹脂、アクリル樹脂、エポキシ樹脂等を使用することができる。また、後記するように、導電体付シート２０を一対のガラス板１１，１２の間に配置した発熱板１０とする場合に、導電体付シート２０とガラス板１１．１２との間に設けられる接合層１３，１４と同じ材料（例えばポリビニルブチラール等）を用いて赤外線吸収剤３２を含有する層３３を形成しておけば、赤外線吸収剤３２を含有する層３３が接合層１３，１４を兼ねることも可能である。
【００４３】
次に、図７〜図９を参照して、導電性パターン４０について説明する。図７および図８は、いずれも導電体付シート２０をそのシート面の法線方向から見た平面図である。図９は、図８の導電性パターン４０の一部を拡大して示す図である。
【００４４】
導電性パターン４０は、バッテリー等の電源７から、配線部１５および接続部１６を介して通電され、抵抗加熱により発熱する。そして、この熱が接合層１３，１４を介してガラス板１１，１２に伝わることで、ガラス板１１，１２が温められる。なお、図示は略すが、通常は、配線部１５は電源７と導電性パターン４０の接続部（バスバー電極）１６との間に開閉器が挿入（直列に接続）される。そして、発熱板１０の加熱が必要な時のみ開閉器を閉じて導電性パターン４０に通電する。また、発熱板１０の加熱が不要な時は、開閉器を開き、導電性パターン４０への電流を遮断する。電源７としては、自動車に設置する場合は、附帯する鉛蓄電池、リチウムイオン蓄電池等の電池を利用することができるが、別途専用の電源（電池、発電機等）を用いても良い。電動機を動力とする鉄道車両の場合は架線から給電された電力を適宜の電圧及び電流に変換して用いることもできる。
【００４５】
図７に、導電性パターン４０のパターン形状の一例を示す。図７に示された例では、一対の接続部１６を連結する複数の導電性細線４１を有している。図示された例では、複数の導電性細線４１は、それぞれ波線状のパターンで一方の接続部１６から他方の接続部１６へ延在している。複数の導電性細線４１は、当該導電性細線４１の延在方向と非平行な方向に、互いから離間して配列されている。とりわけ、複数の導電性細線４１は、当該導電性細線４１の延在方向と直交する方向に配列されている。各導電性細線４１は、波線状のパターンの他に、直線状、折れ線状または正弦波状等のパターンで一対の接続部１６の間を延びていてもよい。
【００４６】
図８および図９に、導電性パターン４０のパターン形状の他の例を示す。図８および図９に示された例では、導電性パターン４０の導電性細線４１は、多数の開口領域４４を画成するメッシュ状のパターンで配置されている。導電性パターン４０は、２つの分岐点４３の間を延びて、開口領域４４を画成する複数の接続要素４５を含んでいる。すなわち、導電性パターン４０の導電性細線４１は、両端において分岐点４３を形成する多数の接続要素４５の集まりとして構成されている。
【００４７】
図８および図９に示された例では、導電性パターン４０の多数の開口領域４４は、繰返し規則性（周期的規則性）を有しない形状およびピッチで配列されている。とりわけ図示された例では、多数の開口領域４４が、隣接母点間距離がある上限値および下限値内に分布するランダム２次元分布した母点から生成されるボロノイ図における各ボロノイ領域と一致するように配列されている。言い換えると、導電性パターン４０の各接続要素４５は、ボロノイ図におけるボロノイ領域の各境界と一致している。また、導電性パターン４０の各分岐点４３は、ボロノイ図におけるボロノイ点と一致している。なお、このボロノイ図は、例えば特開２０１２−１７８５５６号公報、特開２０１３−２３８０２９号公報等に開示されているような公知の方法によって得られるので、ここではボロノイ図の作成方法についての詳細な説明は省略する。
【００４８】
導電性パターンが、正方格子配列やハニカム配列等の、繰返し規則性（周期的規則性）を有する形状およびピッチで配列された多数の開口領域を有する場合、この多数の開口領域の配列の繰返し規則性に起因して、光芒が視認されることがある。光芒とは、例えば自動車のフロントウィンドウに対向車のヘッドライトの光が入射した場合等、発熱板に対して観察者と反対側から光が入射したときに、発熱板上で筋状等の所定のパターンに分散されて観察される現象であり、とりわけ導電性パターンの多数の開口領域が繰返し規則性を有する形状およびピッチで配列されている場合に、光芒が目立ちやすくなる傾向がある。
そして、この光芒がドライバー等の観察者に視認されることは、観察者による発熱板を介した視認性を悪化させる。一方、図８および図９に示されているような、繰返し規則性（周期的規則性）を有しない形状およびピッチで配列された多数の開口領域４４を有する導電性パターン４０によれば、発熱板１０に光芒が生じることを効果的に抑制することができる。
【００４９】
図８および図９に示された３０の導電性パターン４０では、１つの分岐点４３から延び出す接続要素４５の数の平均が３．０より大きく４．０未満となっている。このように１つの分岐点４３から延び出す接続要素４５の数の平均が３．０より大きく４．０未満となっている場合、ハニカム配列から規則性を崩したパターンとすることができる。１つの分岐点４３から延び出す接続要素４５の数の平均を３．０より大きく４．０未満とした場合、開口領域４４の配列を不規則化して、開口領域４４が繰返規則性（周期性）を持って並べられた方向が安定して存在しないようにすることが可能となり、結果として、発熱板１０に光芒が生じることをより効果的に抑制することができる。同時に、接続要素４５の配列が、ハニカム配列を基準としていることから、接続要素４５が均一に分散され、結果として、発熱ムラを効果的に抑制することも可能となる。
【００５０】
なお、１つの分岐点４３から延び出す接続要素４５の数の平均は、厳密には、導電性パターン４０内に含まれる全ての分岐点４３について、延び出す接続要素４５の数を調べてその平均値を算出することになる、ただし、実際的には、導電性細線４１によって画成された１つあたりの開口領域４４の大きさ等を考慮した上で、１つの分岐点４３から延び出す接続要素４５の数の全体的な傾向を反映し得ると期待される面積を持つ１区画内において、調査すべき対象の数のばらつきの程度を考慮して適当と考えられる数の分岐点４３について、各分岐点４３から延び出す接続要素４５の数を調べてその平均値を算出し、算出された値を当該導電性パターン４０についての１つの分岐点４３から延び出す接続要素４５の数の平均値として取り扱うようにしてもよい。例えば、導電性パターン４０の３００ｍｍ×３００ｍｍの領域内に含まれる１００箇所の分岐点４３から延び出す接続要素４５の数を光学顕微鏡や電子顕微鏡を用いて計数して算出した平均値を、当該導電性パターン４０についての１つの分岐点４３から延び出す接続要素４５の数の平均値として取り扱うことができる。
【００５１】
図８および図９に示された導電性パターン４０では、導電性パターン４０は、４本、５本、６本および７本の接続要素４５によって周囲を取り囲まれた開口領域４４をそれぞれ含み、導電性パターン４０に含まれた開口領域４４のうち、６本の接続要素４５によって周囲を取り囲まれた開口領域４４が最も多くなっている。すなわち、６本の接続要素４５によって周囲を取り囲まれた開口領域４４が、他の本数の接続要素４５によって周囲を取り囲まれた開口領域４４と比較して、より多く導電性パターン４０に含まれている。
【００５２】
このような導電性パターン４０では、開口領域４４の配列が、同一形状の正六角形を規則的に配置してなるハニカム配列から、各開口領域の形状および配置の規則性を崩した配列、言い換えると、ハニカム配列を基準として各開口領域の形状および配置をランダム化した配列とすることができる。これにより、開口領域４４の配列に明らかな粗密が生じてしまうことを抑制することができ、多数の開口領域４４を概ね均一な密度で、すなわち概ね一様に分布させることができる。結果として、発熱ムラを効果的に抑制することができる。また、開口領域４４の配列を完全に不規則化すること、すなわち、開口領域４４が規則的に配列された方向が存在しないようにすることが、安定して可能となる。したがって、発熱板１０に光芒が生じることをさらに効果的に抑制することができる。
【００５３】
なお、１つの開口領域４４を取り囲む接続要素４５の数は、厳密には、導電性パターン４０内に含まれる全ての開口領域４４について、当該開口領域４４を取り囲む接続要素４５の数を調査することになる、ただし、実際的には、導電性細線４１によって画成された１つあたりの開口領域４４の大きさ等を考慮した上で、１つの開口領域４４を取り囲む接続要素４５の数の全体的な傾向を反映し得ると期待される面積を持つ１区画内において、調査すべき対象の数のばらつきの程度を考慮して適当と考えられる数の開口領域４４について、各開口領域４４を取り囲む接続要素４５の数を調べ、周囲を取り囲む接続要素４５の本数ごとの開口領域４４の数を積算するようにしてもよい。例えば、導電性パターン４０の３００ｍｍ×３００ｍｍの領域内に含まれる１００個の開口領域４４のそれぞれを取り囲む接続要素４５の数を光学顕微鏡や電子顕微鏡を用いて計数し、周囲を取り囲む接続要素４５の本数ごとの開口領域４４の数を積算した値を用いて、当該導電性パターン４０について。何本の接続要素４５によって周囲を取り囲まれた開口領域４４が最も多くなっているかを判定することができる。
【００５４】
なお、このような導電性パターン４０を構成するための材料としては、例えば、金、銀、銅、白金、アルミニウム、クロム、モリブデン、ニッケル、チタン、パラジウム、インジウム、タングステン等の金属、及び、ニッケル−クロム合金、真鍮、青銅等のこれら例示の金属の中から選択した二種以上の金属の合金の一以上を例示することができる。
【００５５】
導電性パターン４０は、従来既知の方法によって、透明基材３０（保持層３１が存在する場合は保持層３１上）に形成することができる。例えば、透明基材３０上に、上記した金属の箔を積層し、箔を所望のパターンにエッチングする方法や、上記した金属からなる微粒子を含有する導電性インキを透明基材３０上に所望のパターンで印刷し、更に形成したパターン表面に、上記した金属の薄膜をメッキする方法等が挙げられる。以下、箔をエッチングして導電性パターンを形成する方法について詳述する。
【００５６】
まず、金属箔を準備し、この金属箔の片面に暗色膜を形成する。金属箔は、導電性細線の導電性金属層を形成するようになる。また、暗色膜は、導電性細線の暗色層を形成するようになる。金属箔の厚さは、１μｍ以上５０μｍ以下とすることができる。また、金属箔をなす材料の一部分に暗色化処理（黒化処理）を施して、金属箔をなしていた一部分に、金属酸化物や金属硫化物からなる被膜を形成することにより、金属箔の一方の面に暗色膜を設けることができる。暗色膜が形成された金属箔を、暗黒膜と保持層とが対面するようにして、保持層が形成された透明基材と積層することにより、暗色化処理（黒化処理）により粗面化された暗色膜表面の微細な凹凸に保持層３１を構成する樹脂材料が入り込むため、いわゆるアンカー効果により、暗色膜と保持層とが強固に接合される。これにより、金属箔と透明基材とが強固に接合される。
【００５７】
次に、金属箔上に、レジストパターンを設ける。レジストパターンは、形成されるべき導電性パターンのパターンに対応したパターンとなっている。このようなレジストパターンは、公知のフォトリソグラフィー技術を用いたパターニングにより形成することができる。続いて、レジストパターンをマスクとして、暗色膜を含む金属箔をエッチングする。
このエッチングにより、暗色膜を含む金属箔がレジストパターンと略同一のパターンにパターニングされる。エッチング加工に用いる腐食液は、金属箔および（暗色膜が存在する場合は）暗色膜の材料に応じて公知の腐食液を適宜選択して用いることができる。例えば、金属箔が銅であり、暗色膜が酸化銅（ＩＩ）（ＣｕＯ）の場合には、金属箔および暗色膜ともに塩化第二鉄水溶液を用いるか、あるいは金属箔部分（銅）は塩化第二鉄水溶液を、暗色膜（酸化銅（ＩＩ））部分には希塩酸を用いることができる。その後、レジストパターンを除去することにより導電体付シート２０が作製される。
【００５８】
上述した実施の形態では、導電性パターン４０に含まれる複数の接続要素４５は、それぞれ発熱板１０の板面の法線方向から見て直線状（直線分）をなしていたが、これに限らず、複数の接続要素４５のうちの少なくとも一部が、発熱板１０の板面の法線方向から見て直線状以外の形状、例えば曲線状または折れ線状の形状を有してもよい。具体的には、円弧状、放物線状、波線状、ジグザグ状、曲線と直線との組み合わせ等の形状を有してもよい。とりわけ、２つの分岐点４３の間を直線（直線分）として接続する接続要素４５が、複数の接続要素４５のうちの２０％未満である、すなわち、複数の接続要素４５のうちの８０％以上が直線（直線分）以外の形状を有している、ことが好ましい。
【００５９】
このような、直線（直線分）以外の形状の接続要素４５を含む導電性パターン４０によれば、曲線状、折れ線状等の形状を有する接続要素４５の側面に入射した光は、当該側面で乱反射する。これにより、当該接続要素４５の側面に一定の方向から入射した光（対向車のヘッドライトの光や太陽光等）が、その入射方向に対応して当該側面で一定の方向に反射することが抑制される。したがって、この反射光がドライバー等の観察者に視認されて、接続要素４５を有する導電性パターン４０が観察者に視認されることを、抑制することができる。結果として、導電性パターン４０が視認されることによる、観察者による窓ガラスを介した視認性の悪化を抑制することができる。
【００６０】
また、上述した実施の形態では、導電性パターン４０は、ボロノイ図に基づいて決定された、すなわち多数の開口領域４４が繰返し規則性（周期的規則性）を有しない形状およびピッチで配列された、パターンを有しているが、このようなパターンに限られず、導電性パターン４０は、三角形、四角形、六角形等の同一形状の開口領域が規則的に配置されたパターン、異形状の開口領域が規則的に配置されたパターン等、種々のパターンを用いてもよい。
【００６１】
次に、導電体付シート２０を用いた発熱体１０について説明する。発熱板１０は、ガラス板１１、接合層１３、導電体付シート２０、接合層１４、ガラス板１２をこの順に重ね合わせ、加熱・加圧することにより製造することができる。発熱板の製造方法の一例として、まず接合層１３をガラス板１１に、接合層１４をガラス板１２に、それぞれ仮接着する。次に、ガラス板１１，１２の接合層１３，１４が仮接着された側が、それぞれ導電体付シート２０に対向するようにして、接合層１３が仮接着されたガラス板１１、導電体付シート２０、接合層１４が仮接着されたガラス板１２をこの順に重ね合わせ、加熱・加圧する。これにより、ガラス板１１、導電体付シート２０およびガラス板１２が、接合層１３，１４を介して接合され、図３に示す発熱板１０が製造される。
【００６２】
なお、上述した実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６３】
図１０〜図１３を参照して、発熱板１０の製造方法の変形例について説明する。図１０〜図１３は、発熱板１０の製造方法の変形例を順に示す断面図である。
【００６４】
まず、導電体付シート２０を作製する。導電体付シート２０は、上述した製造方法の一例において説明した方法により作製することができる。
【００６５】
次に、接合層１３をガラス板１１に仮接着する。次に、ガラス板１１の接合層１３が仮接着された側が、導電体付シート２０に対向するようにして、接合層１３が仮接着されたガラス板１１を、導電体付シート２０の導電性パターン４０の側から重ね合わせ、加熱・加圧する。これにより、図１０に示すように、ガラス板１１および導電体付シート２０が、接合層１３を介して接合（仮接合または本接合）される。
【００６６】
次に、図１１に示されているように、導電体付シート２０の透明基材３０を除去する。
例えば、保持層３１が剥離層を含むように形成されている場合、導電体付シート２０の透明基材３０を、この剥離層を用いて導電性パターン４０および接合層１３から剥離することができる。
【００６７】
剥離層としては、例えば界面剥離型の剥離層、層間剥離型の剥離層、凝集剥離型の剥離層等を用いることができる。界面剥離型の剥離層としては、透明基材３０との密着性と比べて、導電性パターン４０および接合層１３との密着性が相対的に低い剥離層を好適に用いることができる。このような層としては、シリコーン樹脂層、フッ素樹脂層、ポリオレフィン樹脂層等が挙げられる。また、導電性パターン４０および接合層１３との密着性と比べて、透明基材３０との密着性が相対的に低い剥離層を用いることもできる。層間剥離型の剥離層としては、複数層のフィルムを含み、導電性パターン４０および接合層１３や、透明基材３０との密着性と比べて、当該複数層間相互の密着性が相対的に低い剥離層を例示することができる。凝集剥離型の剥離層としては、連続相としてのベース樹脂中に分散相としてのフィラーを分散させた剥離層を例示することができる。
【００６８】
剥離層として、透明基材３０との密着性と比べて、導電性パターン４０および接合層１３との密着性が相対的に低い層を有する界面剥離型の剥離層を用いた場合、剥離層と導電性パターン４０および接合層１３との間で剥離現象が生じる。この場合、剥離層が、導電性パターン４０および接合層１３側に残らないようにすることができる。すなわち、透明基材３０は、剥離層とともに除去される。このようにして透明基材３０および剥離層が除去されると、導電性パターン４０の開口領域４３内に、接合層１３が露出するようになる。
【００６９】
その一方で、剥離層として、導電性パターン４０および接合層１３との密着性と比べて、透明基材３０との密着性が相対的に低い界面剥離型の剥離層を用いた場合には、剥離層と透明基材３０との間で剥離現象が生じる。剥離層として、複数層のフィルムを有し、導電性パターン４０および接合層１３や、透明基材３０との密着性と比べて、当該複数層間相互の密着性が相対的に低い層間剥離型の剥離層を用いた場合には、当該複数層間で剥離現象が生じる。剥離層として、連続相としてのベース樹脂中に分散相としてのフィラーを分散させた凝集剥離型の剥離層を用いた場合には、剥離層内での凝集破壊による剥離現象が生じる。
【００７０】
最後に、ガラス板１１、接合層１３および導電性パターン４０に、接合層１４を介してガラス板１２を重ね合わせ、加熱・加圧する。具体的には、接合層１４をガラス板１２に仮接着し、次いで、ガラス板１２の接合層１４が仮接着された側が、導電性パターン４０および接合層１３に対向するようにして、ガラス板１１、導電性パターン４０および接合層１３、接合層１４が仮接着されたガラス板１２をこの順に重ね合わせ、加熱・加圧する。これにより、ガラス板１１、導電性パターン４０、ガラス板１２が、接合層１３，１４を介して接合（本接合）され、図１２に示す発熱板１０が製造される。
【００７１】
図１２に示された発熱板１０によれば、導電体付シート２０を用いて発熱板１０を製造した場合であっても、発熱板に透明基材３０が含まれないようにすることができる。これにより、発熱板１０全体の厚みを小さくすることができる。また、発熱板１０内の界面数を低減することができる。したがって、光学特性の低下すなわち視認性の低下を抑制することができる。
【００７２】
次に、図１３を参照して、発熱板１０の製造方法の他の変形例について説明する。図１３は、発熱板１０の製造方法の他の変形例を順に示す断面図である。
【００７３】
まず、上述の発熱板１０の製造方法の変形例と同様の工程により、ガラス板１１および導電体付シート２０が、接合層１３を介して接合（仮接合）されたものを作製し、ここから透明基材３０を除去する。すなわち、上述の発熱板１０の製造方法の変形例で図１２を参照して説明した、ガラス板１１、導電性パターン４０および接合層１３が積層されたものを得る。
【００７４】
次に、ガラス板１１、接合層１３および導電性パターン４０、ガラス板１２をこの順に重ね合わせ、加熱・加圧する。これにより、ガラス板１１と導電性パターン４０とが接合層１３を介して接合（本接合）され、且つ、ガラス板１１とガラス板１２とが接合層１３を介して接合（本接合）される。そして、図１３に示す発熱板１０が製造される。
【００７５】
図１３に示された発熱板１０によれば、導電体付シート２０を用いて発熱板１０を製造した場合であっても、発熱板１０が透明基材３０および接合層１４を含まないようにすることができる。これにより、発熱板１０全体の厚みをさらに小さくすることができる。また、発熱板１０内の界面数をさらに低減することができる。したがって、光学特性の低下すなわち視認性の低下をさらに効果的に抑制することができる。加えて、導電性パターン４０とガラス板１２とが接触しているので、導電性パターン４０によるガラス板１２の加熱効率を上げることができる。
【００７６】
発熱板１０は、自動車１のリアウィンドウ、サイドウィンドウやサンルーフに用いてもよい。また、自動車以外の、鉄道車両、航空機、船舶、宇宙船等の乗り物、事務所、店舗、病院等の建物、冷蔵庫、展示箱、戸棚等の収納乃至保管設備の窓あるいは扉の透明部分に用いてもよい。
【００７７】
さらに、発熱板１０は、乗り物以外にも、特に室内と室外とを区画する箇所、例えばビルや店舗、住宅の窓あるいは扉の透明部分等に使用することもできる。
【００７８】
なお、以上において上述した実施の形態に対するいくつかの変形例を説明してきたが、当然に、複数の変形例を適宜組み合わせて適用することも可能である。
【００７９】
＜本発明の他の実施形態＞
［１］電圧が印加されると発熱する発熱板に用いられる導電体付シートであって、
透明基材と、
前記透明基材上に設けられ、導電性細線を含む導電性パターンと、を備え、
前記透明基材中に赤外線吸収剤が含まれるか、または、前記透明基材および前記導電性パターンとは別の層として、赤外線吸収剤を含む層を備えた、導電体付シート。
［２］前記透明基材と前記導電性パターンとの間に保持層をさらに備え、前記保持層に赤外線吸収剤が含まれている、［１］の導電体付シート。
［３］前記赤外線吸収剤を含む層が、前記透明基材と前記導電性パターンとの間に設けられている、［１］の導電体付シート。
［４］前記赤外線吸収剤を含む層が、前記透明基材の前記導電性パターンが設けられた側とは反対側に設けられている、［１］の導電体付シート。
［５］前記赤外線吸収剤が、セシウム−タングステン複合酸化物を含む、［１］〜［４］のいずれかの導電体付シート。
［６］前記セシウム−タングステン複合酸化物の平均分散粒径が８００ｎｍ以下である、［１］〜［５］のいずれかの導電体付シート。
［７］［１］〜［６］のいずれかの導電体付シートを用いた発熱板であって、
一対のガラス板と、
前記一対のガラス板の間に配置される導電体付シートと、を備えた発熱板。
［８］［７］の発熱板を備えた乗り物。
【符号の説明】
【００８０】
１  自動車
５  フロントウィンドウ
７  電源
１０  発熱板
１１  ガラス板
１２  ガラス板
１３  接合層
１４  接合層
１５  配線部
１６  接続部
２０  導電体付シート
３０  透明基材
３１  保持層
４０  導電性パターン
４３  分岐点
４４  開口領域
４５  接続要素
【図１】
2019192645.tif 000003
【図２】
2019192645.tif 000004
【図３】
2019192645.tif 000005
【図４】
2019192645.tif 000006
【図５】
2019192645.tif 000007
【図６】
2019192645.tif 000008
【図７】
2019192645.tif 000009
【図８】
2019192645.tif 000010
【図９】
2019192645.tif 000011
【図１０】
2019192645.tif 000012
【図１１】
2019192645.tif 000013
【図１２】
2019192645.tif 000014
【図１３】
2019192645.tif 000015